(57)【要約】      （修正有）【課題】ペダルの足踏み操作を必要とすることなく、遠心力により脱水をすることが可能な、モップを提供する。【解決手段】モップは、柄部２とヘッド部との間に配され柄部に対してヘッド部を回転させる回転作動部５を備えており、回転作動部は、筒状のケーシング１０と、ヘッド部側でケーシングから張り出した張出面１１と、ケーシングに挿通されたネジ軸部１５と、ネジ軸部と螺合しケーシング内を軸方向に沿ってヘッド部側に向かう往動及び逆向きの復動をすることによりネジ軸部を回転させると共に、柄部の端部と一体化されている移動体２０と、復動の方向に移動体を付勢する付勢部材１８と、ネジ軸部と一体的に回転する第一回転部３１、及び、ヘッド部の回転軸を軸心とするヘッド軸部と一体的に回転する第二回転部３２を有する回転体３０と、ケーシングと一体化され回転体を回転可能に支持する回転体支持部４０とを具備する。【選択図】図３
0003155119.tif 000002
【実用新案登録請求の範囲】
【請求項１】
柄部及びヘッド部を備えるモップであって、
前記柄部と前記ヘッド部との間に配され、前記柄部に対して前記ヘッド部を回転させる回転作動部を備え、
該回転作動部は、
筒状のケーシングと、
前記ヘッド部側で前記ケーシングから内側または外側に張り出した張出面と、
前記ケーシングに挿通され、周面にネジ山が形成されたネジ軸部と、
前記ネジ山と螺合するネジ溝を有し、前記ケーシング内を前記ネジ軸部の軸方向に沿って前記ヘッド部側に向かう往動及び前記柄部側に向かう復動をすることにより前記ネジ軸部を回転させると共に、前記柄部の端部と一体または一体化されている移動体と、
前記復動の方向に前記移動体を付勢する付勢部材と、
前記ネジ軸部と一体または一体的に回転する第一回転部、及び、前記ヘッド部の回転軸を軸心とするヘッド軸部と一体または一体的に回転する第二回転部を有する回転体と、
前記ケーシングと一体または一体化され、前記回転体を回転可能に支持する回転体支持部とを具備する
ことを特徴とするモップ。
【請求項２】
前記第一回転部及び前記第二回転部は別体であり、
前記第一回転部の前記第二回転部側の端面に形成された第一係合部と、
前記第二回転部の前記第一回転部側の端面に形成された第二係合部とを具備し、
前記第一係合部は、前記移動体の前記往動に伴う前記ネジ軸部の回転によっては前記第二係合部と噛み合うが、前記移動体の前記復動に伴う前記ネジ軸部の回転によっては前記第二係合部と噛み合わない
ことを特徴とする請求項１に記載のモップ。
【請求項３】
前記張出面より前記ヘッド部側に設けられ、前記張出面と離隔し前記回転体と係合する係合位置、及び、前記張出面に当接し前記回転体との係合が解除された解除位置に変位可能であると共に、第二付勢部材によって前記係合位置に付勢されている回転規制部を更に具備する
ことを特徴とする請求項１または請求項２に記載のモップ。
【請求項４】
請求項１乃至請求項３の何れか一つに記載のモップ用として使用されるモップバケツであって、
上方に開放したバケツ開口部と、
自由端を有し前記バケツ開口部の一部を被覆するカバーと、
該カバーの上面から裏面に向かって貫通して形成されると共に前記自由端で開口している孔部とを具備し、
該孔部は、モップのヘッド部側でケーシングから内側または外側に張り出している張出面を、挿通させることができない大きさに形成されている
ことを特徴とするモップバケツ。
【請求項５】
前記バケツ開口部の周縁部の一部に取り付けられた第一カゴ体と、
該第一カゴ体の内部に収容されると共に、前記第一カゴ体の内底に回転自在に軸支された第二カゴ体とを具備する
ことを特徴とする請求項４に記載のモップバケツ。
【考案の詳細な説明】
【技術分野】
【０００１】
本考案は、床などの清掃に使用されるモップ、及び、該モップの水洗い用に用いられるモップバケツに関するものである。
【背景技術】
【０００２】
長い柄の先にヘッド部を備え、細布や糸を束ねた房状の布がヘッド部に取り付けられたモップの水洗い用として、水洗い後に遠心力を用いて脱水することができる機能が付加されたモップバケツが、従前より種々提案されている（例えば、特許文献１，２，３参照）。これらは、何れもバケツの一部を底上げして下方に空間を設け、その空間内にペダルと、ペダルの足踏み操作によって回転するギアと、ギアの回転により回転する軸部を配設したものであり、軸部はバケツの底上げ部でバケツ内まで延設され、その先端に水切りカゴが取り付けられている。
【０００３】
このような構成により、使用者がペダルを足で踏むと、ギア及び軸部を介してカゴが回転する。従って、カゴ内にモップのヘッド部を挿し入れることにより、ヘッド部がカゴと一緒に回転するため、遠心力によってヘッド部の布を脱水することができる。
【考案の概要】
【考案が解決しようとする課題】
【０００４】
しかしながら、上記構成のモップバケツでは、水切りカゴを回転させるためにペダルを足踏み操作することが必要であるため、脱水作業の際に使用者は片足で立たなければならない。そのため、姿勢が不安定となり脱水作業がしにくいと共に、転倒するおそれがあるという問題があった。
【０００５】
そこで、本考案は上記の実情に鑑み、ペダルの足踏み操作を必要とすることなく、遠心力により脱水をすることが可能な、モップ及びモップバケツの提供を課題とするものである。
【課題を解決するための手段】
【０００６】
上記課題を解決するため、本考案にかかるモップは、「柄部及びヘッド部を備えるモップであって、前記柄部と前記ヘッド部との間に配され、前記柄部に対して前記ヘッド部を回転させる回転作動部を備え、該回転作動部は、筒状のケーシングと、前記ヘッド部側で前記ケーシングから内側または外側に張り出した張出面と、前記ケーシングに挿通され、周面にネジ山が形成されたネジ軸部と、前記ネジ山と螺合するネジ溝を有し、前記ケーシング内を前記ネジ軸部の軸方向に沿って前記ヘッド部側に向かう往動及び前記柄部側に向かう復動をすることにより前記ネジ軸部を回転させると共に、前記柄部の端部と一体または一体化されている移動体と、前記復動の方向に前記移動体を付勢する付勢部材と、前記ネジ軸部と一体または一体的に回転する第一回転部、及び、前記ヘッド部の回転軸を軸心とするヘッド軸部と一体または一体的に回転する第二回転部を有する回転体と、前記ケーシングと一体または一体化され、前記回転体を回転可能に支持する回転体支持部とを」具備するものである。
【０００７】
移動体が「柄部の端部と一体または一体化されている」、及び、回転体支持部が「ケーシングと一体または一体化されている」とは、移動体と柄部の端部及び回転体支持部とケーシングが、それぞれ分離不能な一体構造である場合、及び、それぞれが元々は別体であるが、螺合や係合により常に共に運動及び静止するように一体化されている場合の、何れの構造も採用し得ることを表している。
【０００８】
また、「ネジ軸部と一体または一体的に回転する第一回転部」、及び、「ヘッド軸部と一体または一体的に回転する第二回転部」は、ネジ軸部と第一回転部及びヘッド軸部と第二回転部が、それぞれ分離不能な一体構造であることにより、当然に同速度で同方向に同心で回転する場合、それぞれが元々は別体であるが螺合や係合により常に同速度で同方向に同心で回転する場合の、何れの構造も採用し得ることを表している。
【０００９】
「付勢部材」としては、コイルバネ、ゴム体など弾性に富んだ部材を使用可能である。
【００１０】
上記構成のモップでは、以下のように、柄部に対してヘッド部を回転させることができる。ここで、本考案のモップのヘッド部を回転させるには、モップ外の構成として、床などの設置面からある程度の高さ位置にほぼ水平な載置面を有し、ヘッド部が回転できるだけの空間を下方に有する適宜の部材を使用する。まず、柄部がほぼ鉛直となるように把持し、ヘッド部が載置面より下方に位置する状態で、張出面を適宜の部材の載置面上に載置する。そして、モップの柄部を鉛直下向きに押し下げる。
【００１１】
このとき、張出面が載置面に載置されることによってケーシングの高さ位置は固定されており、回転体支持部を介してケーシングに支持されている回転体も、高さ位置が固定された状態となっている。そのため、回転体の第一回転部と一体または一体的に回転するネジ軸部も、同じく高さ位置が固定された状態である。従って、柄部の端部と一体または一体化されていると共にネジ軸部と螺合している移動体に対して、柄部の押し下げによって鉛直下向きに押し下げる力が作用すると、移動体自体が下降しつつ、すなわち軸方向に沿ってヘッド部側に向かう往動をしつつ、ネジ軸部を回転させる。その結果、第一回転部を介してネジ軸部と共に回転する回転体が回転し、第二回転部を介してヘッド軸部が共に回転する。これにより、ヘッド軸部の軸心を回転軸とするヘッド部が回転する。
【００１２】
従って、本考案によれば、張出面を載置面にのせた状態で、柄部を押し下げるのみの極めて簡単な操作で、ヘッド部を回転させ、遠心力によって脱水することができる。そして、上記の従来技術とは異なり、ペダルの足踏み操作を必要としないため、安定した姿勢で脱水作業を行うことができる。
【００１３】
なお、移動体は、付勢部材によって、軸方向に柄部側に向かう復動の方向に付勢されているため、柄部を押し下げるのをやめれば、移動体は復動すなわち上昇して元の位置に復帰する。従って、柄部の押し下げを繰り返すことにより、ヘッド部を継続的に回転させることができる。
【００１４】
本考案にかかるモップは、上記構成に加え、「前記第一回転部及び前記第二回転部は別体であり、前記第一回転部の前記第二回転部側の端面に形成された第一係合部と、前記第二回転部の前記第一回転部側の端面に形成された第二係合部とを具備し、前記第一係合部は、前記移動体の前記往動に伴う前記ネジ軸部の回転によっては前記第二係合部と噛み合うが、前記移動体の前記復動に伴う前記ネジ軸部の回転によっては前記第二係合部と噛み合わない」ものとすることができる。
【００１５】
移動体が往動するときと復動するときでは、ネジ軸部は逆方向に回転する。そのため、第一回転部と第二回転部とが一体構造のとき、または、常に一体的に回転するときは、移動体が復動するにあたり、ヘッド部は移動体が往動するときとは逆回りに回転させられることとなる。このように、移動体の復動に際してヘッド部が逆回転する場合は、ヘッド部の回転によってネジ軸部の回転に対して負荷がかかった状態で、付勢部材の付勢によって移動体を復動方向に移動させなくてはならない。そのため、付勢部材として移動体を強力に付勢できる部材が必要である。
【００１６】
これに対し、本考案では、第一回転部と第二回転部とは別体であり、移動体が往動する際は第一係合部と第二係合部との噛み合いにより両者は一体化される一方で、移動体が復動する際は、第一係合部は第二係合部と噛み合わないため、両者は分離している。これにより、柄部を押し下げて移動体を往動させるときは、ヘッド軸部と共に回転する第二回転部が第一回転部と共に回転することにより、ヘッド部も回転する。一方、柄部の押し下げをやめ、付勢部材による付勢によって移動体が復動する際は、第一回転部のみが回転し第二回転部は回転しないため、ヘッド部も回転しない。これにより、付勢部材として特に強力なものを使用する必要がない。そして、柄部の押し下げを繰り返すことにより、ヘッド部を同方向に断続的に回転させ、脱水することができる。
【００１７】
本考案にかかるモップは、上記構成に加え、「前記張出面より前記ヘッド部側に設けられ、前記張出面と離隔し前記回転体と係合する係合位置、及び、前記張出面に当接し前記回転体との係合が解除された解除位置に変位可能であると共に、第二付勢部材によって前記係合位置に付勢されている回転規制部を」具備するものとすることができる。
【００１８】
上記構成により、通常は回転規制部は第二付勢部材によって回転体と係合する係合位置に付勢されているため、回転規制部によって回転体が回転することが妨げられている。これにより、本考案のモップは、床を清掃する際にヘッド部がぐらつくことが防止されており、安定的に清掃作業を行うことができる。
【００１９】
一方、上述のように、ヘッド部を回転させるために柄部を押し下げるとき、張出面よりヘッド部側に設けられている回転規制部を載置面にのせた状態で行えば、柄部の押し下げに伴って、回転規制部は第二付勢部材の付勢に抗して張出面に当接するように押圧され、回転規制部と回転体との係合が解除される。これにより、回転体は自由に回転できる状態となる。更に、張出面は回転規制部を介して載置面に押圧されることになるため、ケーシングの高さ位置が固定され、回転体を介してネジ軸部の高さ位置も固定される。これにより、柄部の押し下げによって移動体が往動し、回転体を介してヘッド部が回転する。
【００２０】
従って、本考案によれば、脱水を行わないときは、回り止めのための構成である回転規制部によってヘッド部の回転を規制しておくことができる。そして、脱水を行う際に、回り止めを解除する操作と、回転体及びネジ軸部の高さ位置を固定する操作とを別々に行う必要がなく、回転作動部のヘッド部側を載置面にのせて柄部を押し下げるという一つの操作によって、その両方を行うことができる。
【００２１】
次に、本考案にかかるモップバケツは、「上記に記載のモップ用として使用されるモップバケツであって、上方に開放したバケツ開口部と、自由端を有し前記バケツ開口部の一部を被覆するカバーと、該カバーの上面から裏面に向かって貫通して形成されると共に前記自由端で開口している孔部とを具備し、該孔部は、モップのヘッド部側でケーシングから内側または外側に張り出している張出面を挿通させることができない大きさに形成されている」ものである。
【００２２】
上記構成のモップバケツでは、孔部がカバーの自由端で開口しているため、ここからモップのヘッド軸部を挿通し、柄部及び回転作動部のほとんどがカバーより上方にあり、ヘッド部がカバーの下方でモップバケツの内部空間に収容されている状態とすることができる。そして、孔部は、カバーの上面から裏面に向かって張出面を挿通させることができない大きさに貫通して形成されているため、モップの張出面はバケツの孔部の周縁部に載置された状態となる。この状態で、柄部を鉛直下向きに押し下げれば、上記の動作によりヘッド部を回転させることができる。
【００２３】
従って、本考案によれば、モップの洗浄に用いるモップバケツに、上述の“載置面を有する適宜の部材”としての役割を兼ねさせることができる。従って、本考案のモップバケツは、上記構成のモップとセットで用いるために好適である。
【００２４】
そして、ヘッド部はモップバケツの内部で回転するため、遠心力により除かれた水はモップバケツの中に落下する。これにより、適宜の部材を利用してモップの脱水を行う場合は、その部材の構成によっては、脱水作業を行う場所が洗い場など特定の場所に限られるところ、本考案のモップバケツによれば、場所を問わずにモップの脱水作業を行うことができる。
【００２５】
加えて、本考案のモップバケツは、バケツ開口部の一部がカバーによって被覆されているため、ヘッド部の回転に伴って水が周囲に飛び散りにくい、という利点も有している。
【００２６】
本考案にかかるモップバケツは、上記構成に加え、「前記バケツ開口部の周縁部の一部に取り付けられた第一カゴ体と、該第一カゴ体の内部に収容されると共に、前記第一カゴ体の内底に回転自在に軸支された第二カゴ体とを」具備するものとすることができる。
【００２７】
上記の従来技術では、モップバケツ内に設けられたカゴを回転させることによって、モップのヘッド部を回転させるものであるため、脱水のためにカゴは必須である。これに対し、本考案のモップは、上記のように柄部とヘッド部との間に配された回転作動部によってヘッド部を回転させるものであるため、脱水のためにカゴは必ずしも必要ではない。しかしながら、カゴを備えることにより、遠心力によって除かれた水がカゴの側壁に当たって落ちやすく、水が周囲に飛び散ることを、より有効に防止することができる。
【００２８】
また、バケツ開口部の周縁部に取り付けられているという構成により、第一カゴ体は回転しないが、第一カゴ体に対して回転自在な第二カゴ体を備えているため、ヘッド部の回転に伴って第二カゴ体が回転する。これにより、カゴの存在によってヘッド部の回転に大きな抵抗が生じることがない。加えて、第一カゴ体と第二カゴ体との二重構造であるため、水の飛散をより有効に防止することができる。
【考案の効果】
【００２９】
以上のように、本考案によれば、ペダルの足踏み操作を必要とすることなく、遠心力により脱水をすることが可能な、モップ及びモップバケツを提供することができる。
【図面の簡単な説明】
【００３０】
【図１】本考案の一実施形態のモップの斜視図である。
【図２】図１のモップにおける主要部の分解斜視図及び部分拡大図である。
【図３】図１のモップの回転作動部の断面図である。
【図４】（ａ）図１のモップの使用方法の説明図、（ｂ）載置面を有する適宜の部材の構成を例示する図、及び（ｃ）載置面を有する適宜の部材の他の構成を例示する図である。
【図５】本考案の一実施形態のモップバケツの一部切欠き断面図である。
【図６】図５のモップバケツにおける（ａ）カバーの斜視図、及び（ｂ）第一カゴ体の斜視図である。
【図７】図５のモップバケツを使用して行う図１のモップの脱水作業の説明図である。
【考案を実施するための形態】
【００３１】
以下、本考案の一実施形態であるモップ１について、図１乃至図４に基づいて説明する。モップ１は、柄部２とヘッド部３を備えるモップであって、柄部２とヘッド部３との間に配され柄部２に対してヘッド部３を回転させる回転作動部５を備え、回転作動部５は、筒状のケーシング１０と、ヘッド部３側でケーシング１０から内側または外側に張り出した張出面１１と、ケーシング１０に挿通され周面にネジ山１５ａが形成されたネジ軸部１５と、ネジ山１５ａと螺合するネジ溝２１ｂを有し、ケーシング１０内をネジ軸部１５の軸方向に沿ってヘッド部３側に向かう往動及び柄部２側に向かう復動をすることによりネジ軸部１５を回転させると共に、柄部２の端部２ｅと一体化されている移動体２０と、復動の方向に移動体２０を付勢する付勢部材１８と、ネジ軸部１５と一体的に回転する第一回転部３１、及び、ヘッド部３の回転軸を軸心とするヘッド軸部３ｐと一体的に回転する第二回転部３２を有する回転体３０と、ケーシング１０と一体化され、回転体３０を回転可能に支持する回転体支持部４０とを具備している。
【００３２】
また、本実施形態のモップ１では、第一回転部３１及び第二回転部３２は別体であり、第一回転部３１の第二回転部３２側の端面に形成された第一係合部３１ａと、第二回転部３２の第一回転部３１側の端面に形成された第二係合部３２ｂとを具備し、第一係合部３１ａは、移動体２０の往動に伴うネジ軸部１５の回転によっては第二係合部３２ｂと噛み合うが、移動体２０の復動に伴うネジ軸部１５の回転によっては第二係合部３２ｂと噛み合わない構成とされている。
【００３３】
更に、本実施形態のモップ１は、張出面１１よりヘッド部３側に設けられ、張出面１１と離隔し回転体３０と係合する係合位置、及び、張出面１１に当接し回転体３０との係合が解除された解除位置に変位可能であると共に、第二付勢部材５８によって係合位置に付勢されている回転規制部５０を更に具備している。
【００３４】
より詳細に説明すると、柄部２は断面円形のパイプで分割可能に構成されており、一方の端部に把持部２ａが設けられると共に、他方の端部２ｅの外周面にはネジ山が形成されている。また、ヘッド部３は、円盤状のヘッド部基体３ｂ、ヘッド部基体３ｂの一方の面に取り付けられた房状の布部３ｆ、ヘッド部基体３ｂの他方の面の中心に、ヘッド部基体３ｂに対して傾動可能に取り付けられたヘッド軸部３ｐから主に構成されている。なお、以下において“上下”の概念を用いて説明するときは、ヘッド部３が柄部２の下方に位置し、柄部２をほぼ鉛直に立てた状態における上下の関係で説明する。
【００３５】
回転作動部５のケーシング１０は略円筒状であり、ケーシング１０のヘッド部３側の端部には、ケーシング１０の周壁から内側に向かってほぼ垂直に張り出した、円環状の張出面１１が固着されている。また、張出面１１の外周からは、ヘッド部３側に向かって立ち上がった周壁部１２が設けられており、詳しくは後述する回転規制部５０がこの周壁部１２に沿って摺動する。更に、張出面１１の内側には、張出面１１より更に内側に張り出すように円環状の第一支持部４１が張出面１１と一体に形成されている。
【００３６】
回転体３０は、円環状の第一支持部４１の孔部４１ｈに回転可能に挿通される円筒状の第二回転部３２を有し、孔部４１ｈより下方で第二回転部３２の外周面から外側に張り出すようにフランジ部３３が設けられている。また、第二回転部３２はフランジ部３３より更に下方まで延設され、その下端はヘッド軸部３ｐの上端と螺合可能に形成されている。一方、第二回転部３２の上端面には爪状の第二係合部３２ｂが形成されている。ここで、第二係合部３２ｂの爪は、回転方向の一方の端部はほぼ垂直に立ち上がり、他方の端部は緩やかに傾斜するように形成されている（図２におけるＣ範囲拡大図を参照）。
【００３７】
円筒状の第二回転部３２には、長いネジ軸部１５が挿通されており、ネジ軸部１５の周面には粗いネジ山１５ａが形成されている。また、ネジ軸部１５の途中にはネジ軸部１５と一体的に回転する円筒状の第一回転部３１が取り付けられている。すなわち、第一回転部３１は、ネジ軸部１５を挿通させた上で、周壁に穿設された貫通孔３１ｈを介してネジ山１５ａとネジ山１５ａとの間にピン（図示しない）を挿し込むことにより、ネジ軸部１５と一体化されている。また、第一回転部３１の下端面には爪状の第一係合部３１ａが設けられている。この第一係合部３１ａの爪は、第二係合部３２ｂと同じく、回転方向の一方の端部はほぼ垂直に立ち上がり、他方の端部は緩やかに傾斜するように形成されている（図２におけるＡ範囲拡大図を参照）。
【００３８】
ここで、第一係合部３１ａの爪と第二係合部３２ｂの爪とでは、ほぼ垂直に立ち上がる端部と緩やかに傾斜する端部との位置関係が、ネジ軸部１５の回転方向に対して逆の関係になっている。すなわち、ネジ軸部１５の一方向の回転（移動体２０の往動に伴う回転）に際しては、第一係合部３１ａのほぼ垂直に立ちあがった端部と第二係合部３２ｂのほぼ垂直に立ちあがった端部とが噛み合い、第一回転部３１と第二回転部３２とは一体的に回転する。一方、ネジ軸部１５の逆向きの回転（移動体２０の復動に伴う回転）に際しては、第一係合部３１ａの傾斜した端部と第二係合部３２ｂの傾斜した端部とは、互いに滑るようにすれ違い、噛み合わない。
【００３９】
第一回転部３１及び第二回転部３２の外側には、両者を収容する円筒状の第二支持部４２が設けられており、第二支持部４２は下端側で第二回転部３２の上端を螺合により内嵌させている。また、第二支持部４２は、第二回転部３２を挿通させた短い円筒状の第三支持部４３によって、載置されるように支持されている。ここで、第三支持部４３は、第二回転部３２を回転可能に支持する上述の第一支持部４１に、載置されるように支持されている。これにより、第二回転部３２は、第二支持部４２、第三支持部４３、第一支持部４１、及び張出面１１を介してケーシング１０に回転可能に支持された構成となっている。なお、第一支持部４１、第二支持部４２、及び第三支持部４３が、本発明の「回転体支持部４０」に相当する。
【００４０】
ネジ軸部１５の上端側には、ネジ軸部１５の軸方向に沿って移動可能な移動体２０が取り付けられている。具体的には、移動体２０は、ネジ軸部１５のネジ山１５ａと螺合するネジ溝２１ｂが内周面に形成された内筒部２１、内筒部２１を内側に嵌め込むように内筒部２１と一体化された略円筒状の外筒部２３から主に構成されている。そして、外筒部２３は、移動体２０が軸方向に移動する際に、その外周面をケーシング１０の内周面に沿って摺動させることが可能な大きさに形成されている。加えて、外筒部２３の上端の内周面にはネジ溝（図示しない）が形成されており、柄部２の端部２ｅのネジ山と螺合させることにより、移動体２０と柄部２とを一体化できる構成となっている
【００４１】
また、内筒部２１の下端には、外側に張り出したフランジ部２３が形成されており、フランジ部２３と第三支持部４３の上面との間の空間には、付勢部材１８としてのコイルバネが配されている。これにより、移動体２０は、付勢部材１８によって柄部２側に向けて付勢されている。
【００４２】
最後に、回転体３０の回り止めとして作用する回転規制部５０について説明する。回転規制部５０は第二回転部３２を挿通させる環状の部材であり、張出面１１よりヘッド部３側に位置し張出面１１とほぼ平行な第二張出面５１を有すると共に、第二張出面５１の外周から柄部２側に向かって立ち上がるように、上述の周壁部１２に対して摺動可能な径を有する第二周壁部５２が形成されている。また、第二張出面５１と第一張出面１１との間には、第二付勢部材５８たるコイルバネが配されており、これにより、通常、回転規制部５０は、第二張出面５１が張出面１１と離隔するようにヘッド部３側に向かって付勢されている。
【００４３】
更に、回転規制部５０には、内周面に沿って複数箇所に凹部５５（図２におけるＢ範囲拡大図を参照）が形成されており、この凹部５５と係合可能な突片３５が第二回転部３２のフランジ部３３に形成されている（図２におけるＤ範囲拡大図を参照）。そして、第二付勢部材５８による付勢によって第二張出面５２が張出面１１より離隔している状態では、回転規制部５０は突片３５と凹部５５とが係合する「係合位置」にある。一方、第二付勢部材５８による付勢に抗して第二周壁部５２が周壁部１２に沿って摺動し張出面１１に当接する位置まで変位した状態では、回転規制部５０は突片３５と凹部５５との係合が解除された「解除位置」にある。
【００４４】
次に、上記構成のモップ１を脱水する方法について、説明する。まず、通常は、回転作動部は図３（ａ）に示す状態である。すなわち、付勢部材１８たるコイルバネは伸びた状態であり、その付勢によって移動体２０はネジ軸部１５の上端側に位置している。また、第二付勢部材５８たるコイルバネも伸びた状態であり、その付勢によって回転規制部５０は張出面１１と離隔し、回転規制部５０の凹部５５と第二回転部３２の突片３５との係合により第二回転部３２の回転が規制されている係合位置にあり、第二回転部３２と一体的に回転するヘッド軸部３ｐは回転しない状態となっている。従って、この状態で、モップ１を使用して床などの清掃作業を行うことができる。
【００４５】
清掃により汚れた布部３ｆを水洗いし、脱水を行う場合は、図４（ａ）に示すように、床などの設置面Ｇから所定高さに載置面Ｓを有し、載置面Ｓの下方にヘッド部３を収容可能な空間Ｒを有する適宜の部材を使用する。かかる適宜の部材としては、図４（ｂ）に示すように、断面逆Ｌ字形の一対の部材１０１が、に水切り溝が形成された底板１０２によって互いに離隔するように連結された部材１００ａや、図４（ｃ）に示すように、一対の側壁部１０５に天板１０６が架け渡され、天板に半円形状の孔部１０７が設けられた構成の部材１００ｂを例示することができる。
【００４６】
そして、図４（ａ）に示すように、載置面Ｓに回転作動部５の第二張出面５１を介して張出面１１を載置させた状態で、柄部２を下方に押し下げる。これにより、図３（ｂ）に示すように、第二付勢部材５８の付勢に抗して第二張出面５１が張出面１１に向かって押圧され（図示、矢印Ｘ方向）、第二付勢部材５８を圧縮しつつ第二周壁部５２が周壁部１２に沿って摺動し、張出面１１に当接するまで変位する。これにより、凹部５５と突片３５との係合が解除される。このように、回転規制部５０が係合位置から解除位置に変位することにより、自由に回転できる状態となった第二回転部３２を介して、ヘッド部３も自由に回転できる状態となる。
【００４７】
また、第二周壁部５２が張出面１１に当接するまで変位したことにより、柄部２の押し下げに伴って、張出面１１が回転規制部５０を介して載置面Ｓに対して押圧された状態となる。これにより、張出面１１、第一支持部４１、第三支持部４３、第二支持部４２を介して、第一回転部３１及び第二回転部３２の高さ位置が固定される。これにより、柄部２の押し下げに伴い、柄部２の端部２ｅと一体化された移動体２０に対して押し下げる力が作用したとき、移動体２０と内筒部２１で螺合しているネジ軸部１５は、高さ位置が固定されている第一回転部３１とも一体化されていることにより、下降できない状態となる。その結果、柄部２の押し下げによって、移動体２０がネジ軸部１５を回転させながらヘッド部３側に往動する。このとき、外筒部２３の外周面がケーシング１０の内周面に沿って摺動することにより、移動体２０はケーシング１０によってガイドされつつ安定的に移動する。また、移動体２０の往動に伴い、付勢部材１８が圧縮される。
【００４８】
このように、ネジ軸部１５を回転させながら移動体２０が往動すると、ネジ軸部１５と一体的に第一回転部３１が回転する。このとき、上記のように、第一回転部３１の第一係合部３１ａと第二回転部３２の第二係合部３２ｂとが噛み合うため、第二回転部３２も第一回転部３１と一体的に回転する。その結果、第二回転部３２を介してヘッド軸部３ｐが回転し、ヘッド軸部３ｐの軸心を回転軸としてヘッド部３が回転する。これにより、遠心力の作用によって、布部３ｆの脱水を行うことができる。
【００４９】
その後、柄部２を押し下げる力を除くと、圧縮された状態にある付勢部材１８が、元の状態に伸びようとする力によって移動体２０が押圧され、復動する。これに伴い、ネジ軸部１５は移動体２０の往動の際とは逆向きに回転し、第一回転部３１も同様に逆向きに回転する。このとき、上述のように、第一回転部３１の第一係合部３１ａと第二回転部３２の第二係合部３２ｂとは噛み合わないため、第二回転部３２は回転せず、ヘッド部３も回転しない。
【００５０】
上記のように、本実施形態のモップ１によれば、第二張出面５１を介して張出面１１を載置面Ｓにのせた状態で、柄部２を押し下げるのみの極めて簡単な操作で、ヘッド部３を回転させ、遠心力によって布部３ｆを脱水することができる。そして、ペダル式の従来技術とは異なり、ヘッド部３を回転させるために足踏み操作を必要としないため、安定した姿勢で脱水作業を行うことができる。
【００５１】
また、第一係合部３１ａと第二係合部３２ｂとの噛み合いを一方向のみに規制していることにより、柄部２を押し下げる力を除いたときは、ヘッド部３は回転しない構成となっている。そのため、移動体２０を復動方向に付勢する付勢部材１８として、強力なコイルバネを使用する必要がない。
【００５２】
更に、本実施形態では、回転体３０の回り止めとしての回転規制部５０を備えているため、脱水作業を意図しないときにヘッド部３が回転することなく、清掃作業などに支障をきたすおそれがないものとなっている。また、脱水を行うために回転体３０及びネジ軸部１５の高さ位置を固定するための操作と、回転体３０の回り止めを解除する操作とを別々に行う必要がなく、第二張出面５１を介して張出面１１を載置面Ｓにのせ、柄部２を押し下げるという一つの操作で足りるため、使用方法が極めて簡易である。
【００５３】
上記では、モップ１の脱水に載置面Ｓを有する適宜の部材１００ａ，１００ｂ等を使用する場合を説明したが、次の構成のモップバケツ７を好適に使用することができる。本実施形態のモップバケツ７は、上記のモップ１用として使用されるモップバケツであって、、図５乃至図７に示すように、上方に開放したバケツ開口部７１と、自由端８１を有しバケツ開口部７１の一部を被覆するカバー８０と、カバー８０の上面から裏面に向かって貫通して形成されると共に自由端８１で開口し、張出面１１を挿通させることができない大きさに形成されている孔部８２とを具備している。また、モップバケツ７は、上記構成に加えて、バケツ開口部７１の周縁部の一部に取り付けられた第一カゴ体９１と、第一カゴ体９１の内部に収容されると共に、第一カゴ体９１の内底に回転自在に軸支された第二カゴ体９２とを具備している。
【００５４】
より詳細に説明すると、モップバケツ７のバケツ本体７０は横断面がひょうたん型であり、バケツ本体７０のほぼ中央には、バケツ開口部７１に架渡可能に取手部７２が取り付けられている。また、バケツ開口部７１の周縁部においてひょうたん型の一方の円弧に相当する周縁部に沿って、図６（ｂ）に示す第一カゴ体９１が取り付けられている。この第一カゴ体９１は、その周縁に沿って、バケツ開口部７１の周縁部に沿う形状で断面逆Ｕ字形の縁部９１ｂが形成されている。これにより、縁部９１ｂをバケツ開口部７１の周縁部に引き掛けることによって、第一カゴ体９１をバケツ本体７０対して着脱自在に取り付けることができる。
【００５５】
第一カゴ体９１の内底からは、第一カゴ体９１に対して回転自在な回転支軸９１ｐが設けられており、この回転支軸９１ｐに第二カゴ体９２を支持させることにより、第二カゴ体９２は第一カゴ体９１内に回転自在に収容されている。
【００５６】
また、バケツ開口部７１の周縁部には、第一カゴ体９１の縁部９１ｂと重ねられるように、カバー８０が取り付けられる。このカバー８０は、図６（ａ）に示すように、半球状の殻の約三分の一が切り欠かれたようなドーム形状であり、バケツ開口部７１の周縁部に接しない自由端８１で開口していると共に、カバー８０の上面から裏面に貫通する孔部８２が設けられている。
【００５７】
この孔部８２には、カバー８０の上面より低い位置で、内周面から内側に突出する載置面８５が形成されている。かかる載置面８５を有することにより、孔部８２は、ヘッド軸部３ｐ及び第二回転部３２のフランジ部３３を挿通させることは可能であるが、張出面１１を挿通させることはできない大きさとなっている。なお、第二張出面５１は張出面１１よりヘッド部３側に、張出面１１と平行に設けられているため、第二張出面５１も張出面１１と同様に孔部８２に挿通させることはできない。
【００５８】
なお、カバー８０の周縁部には突部８９が形成されており、この突部８９を、第一カゴ体９１の縁部に穿設された孔部を介してバケツ開口部７１の周縁部に設けられた取付孔（図示しない）に挿し込むことにより、カバー８０はバケツ本体７０に対して着脱自在となっている。
【００５９】
上記構成のモップバケツ７は、モップ１の洗浄に使用できることに加え、脱水のために使用することができる。モップ１の脱水作業を行うときは、図７に示すように、カバー８０の孔部８２に自由端８１側の開口からヘッド軸部３ｐを挿通させることにより、柄部２及び回転作動部５のほとんどがカバー８０の上方にあると共に、ヘッド部３がカバー８０の下方の空間に位置する状態とする。これにより、回転作動部５において、第二回転部３２のフランジ部３３及びそれより下端側の部分はカバー８０の裏面より下方に位置し、第二張出面５１を介して張出面１１が載置面８５上に載置された状態となる。このとき、載置面８５はカバー８０の上面より低い位置にあるため、回転作動部５の下端側の一部が孔部８２の内部に挿入された状態となり、載置面８５よる載置が安定する。
【００６０】
この状態で柄部２をほぼ鉛直として下向きに押し下げることにより、第二張出面５１が張出面１１に向かって押圧され、更に、第二張出面５１を介して張出面１１が載置面８５に押圧されるため、上述の動作によりヘッド部３が回転する。そして、ヘッド部３の回転に伴い、布部３ｆと接触する第二カゴ体９２が回転する。
【００６１】
上記のように、本実施形態のモップバケツ７によれば、脱水を行う際にヘッド部３はモップバケツ７の内部で回転する。これにより、遠心力によって飛散する水は、バケツ本体７０の内部に落下するため、水が周囲に飛び散りにくい。更に、カバー８０によってバケツ開口部７１の一部が被覆されていることに加え、二重構造のカゴ９１，９２内でヘッド部３を回転させるため、より有効に水の飛散を防止することができる。
【００６２】
以上、本考案について好適な実施形態を挙げて説明したが、本考案はこの実施形態に限定されるものではなく、以下に示すように、本考案の趣旨を逸脱しない範囲において、種々の改良及び設計の変更が可能である。
【００６３】
例えば、上記では、柄部２の端部２ｅは移動体２０と螺合により一体化され、ヘッド軸部３ｐは第二回転部３２と螺合により一体化されている場合を例示した。かかる構成とすることにより、モップ１を分割して収納可能な組み立て式とすることができる。しかしながら、本考案はかかる構成に限定されず、柄部２は移動体２０と一体に形成されても良く、ヘッド軸部３ｐは第二回転部３２と一体に形成されていても良い。
【００６４】
また、上記では、内筒部２１と外筒部２３が一体化されて移動体２０が構成される場合を例示したが、これらは元々一体構造であっても良い。更に、回転体支持部４０を構成する第一支持部４１、第二支持部４２、及び、第三支持部４３が別体である場合を例示したが、これに限定されず、回転体支持部４０を一体構造としても構わない。
【符号の説明】
【００６５】
１  モップ
２  柄部
２ｅ  柄部の端部
３  ヘッド部
３ｐ  ヘッド軸部
５  回転作動部
７  バケツ
１０  ケーシング
１１  張出面
１５  ネジ軸部
１５ａ  ネジ山
１８  付勢部材
２０  移動体
３０  回転体
３１  第一回転部
３１ａ  第一係合部
３２  第二回転部
３２ｂ  第二係合部
４０  回転体支持部
５０  回転規制部
５８  第二付勢部材
７１  バケツ開口部
８０  カバー
８１  自由端
８２  孔部
９１  第一カゴ体
９２  第二カゴ体
【先行技術文献】
【特許文献】
【００６６】
【特許文献１】実用新案登録第３１４７７７２号公報
【特許文献２】実用新案登録第３１４７５２５号公報
【特許文献３】実用新案登録第３１４２２７５号公報
【図１】
0003155119.tif 000003
【図２】
0003155119.tif 000004
【図３】
0003155119.tif 000005
【図４】
0003155119.tif 000006
【図５】
0003155119.tif 000007
【図６】
0003155119.tif 000008
【図７】
0003155119.tif 000009